【事件の表示】
　平成８年特許願第１１９３４９号「心臓の被刺激活動電流を検出するための装置」拒絶査定不服審判事件〔平成８年１２月１０日出願公開、特開平８−３２２９５０号〕について、次のとおり審決する。
【結　論】
　本件審判の請求は、成り立たない。
【理　由】
第１．手続の経緯
　本願は、平成８年５月１４日（パリ条約による優先権主張１９９５年５月２４日、ドイツ）の出願であって、平成１８年８月３０日付けで拒絶査定がなされ、これに対し、同年１２月７日に拒絶査定不服審判の請求がなされるとともに、平成１９年１月５日付けで明細書についての手続補正がなされたものである。
　
第２．平成１９年１月５日付けの手続補正についての補正却下の決定
［補正却下の決定の結論］
　平成１９年１月５日付けの手続補正（以下、「本件補正」という）を却下する。
　
［理由］
１．補正後の本願発明
　本件補正により、特許請求の範囲の請求項１は、次のように補正された。
　「心臓の被刺激活動電流を検出するための装置であって、刺激ユニット（８）と測定装置（４、６）と処理ユニット（２４）とを有し、前記刺激ユニット（８）は心臓に刺激信号を送出し、前記測定装置（４、６）は
アナログ
信号
アナログ測定値信号
信号
デジタル形式で
　
スタート信号が、刺激信号に時間的に対応して、外部トリガ発生器（１２）によって制御電子装置（１６）の入力側（３０）に送出され、到来するアナログ測定値信号のデジタル化は、連続的に行われるのではなく、制御電子装置（１６）の入力側（３０）を介して供給されるスタート信号の後で行われ、刺激信号に時間的に対応して処理ユニット（２４）にデジタル化された測定値信号を供給するための制御電子装置（１６）は、一方で測定装置（４、６）を介して刺激ユニット（８）に接続されており、他方で処理ユニット（２４）に接続されている
　
２．補正の目的の適否
　本件補正は、請求項１に記載した発明を特定するために必要な事項である「測定値」に、「アナログ」及び「信号」又は「信号」との限定を付加し、「表面電位」を「アナログ測定値信号」に限定し、「処理ユニット（２４）に測定値が供給される」に、「デジタル形式で」との限定を付加し、「刺激信号に依存して処理ユニット（２４）に測定値を供給するための手段が設けられており」及び「前記手段は刺激信号に依存して測定値の供給を開始するように構成されている」を、「スタート信号が、刺激信号に時間的に対応して、外部トリガ発生器（１２）によって制御電子装置（１６）の入力側（３０）に送出され、到来するアナログ測定値信号のデジタル化は、連続的に行われるのではなく、制御電子装置（１６）の入力側（３０）を介して供給されるスタート信号の後で行われ、刺激信号に時間的に対応して処理ユニット（２４）にデジタル化された測定値信号を供給するための制御電子装置（１６）」に限定し、「該手段は刺激ユニット（８）及び処理ユニット（２４）に接続されており」を、「制御電子装置（１６）は、一方で測定装置（４、６）を介して刺激ユニット（８）に接続されており」に限定するものであり、かつ、補正後の請求項１に記載された発明は、補正前の請求項１に記載された発明と、産業上の利用分野及び解決しようとする課題が同一であるので、本件補正は、平成１４年法律第２４号改正附則第２条第１項によりなお従前の例によるとされる同法による改正前の特許法第１７条の２第４項第２号の特許請求の範囲の減縮を目的とするものに該当する。
　そして、本件補正は、新規事項を追加するものではなく、特許請求の範囲を拡張又は変更するものでもない。
　
３．独立特許要件
　そこで、本件補正後の前記請求項１に記載された発明（以下、「本願補正発明」という）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に違反しないか）について以下に検討する。
　
３−１．引用例の記載事項
　原査定の拒絶の理由に引用された、特開平６−１５４１８２号公報（以下、「引用例１」という）には、図面と共に次の事項が記載されている。
ア．「本発明の心臓電気生理学検査装置は、例えば図１に示す如く、電気刺激信号出力部１b 及び生体信号入力部１a とを有する信号入出力手段１と、電気刺激信号を時分割して電気刺激信号出力部１b に出力する刺激制御手段４、生体信号入力部１a より生体信号を時分割して入力する信号処理手段３、並びに刺激制御手段４及び信号処理手段３に所定の刺激信号条件及び信号処理条件を出力する制御手段６とを具える監視記録手段２と、信号入出力手段１及び監視記録手段２に設けられ、電気刺激信号及び生体信号を伝送するインターフェース手段１c 、５とを具えるものである。」（段落【００１１】）
イ．「図１は本発明の心臓電気生理学検査装置の構成を示すブロック図である。同図において、１は信号入出力部で、心電図用電極（図示せず）を介して検出される、例えば心電図信号、心腔内心電図信号及び血圧信号等（以下、生体信号と云う）を入力して増幅する増幅器を内蔵する生体信号入力部１a と、カテーテルＫＴの先端部に取り付けられた刺激用の１つ又は複数の電極（図示せず）を介して電気刺激信号を出力する刺激出力部１b から構成されている。刺激用電極が心腔内心電図用電極として兼用されることは従来と同様である。また、１c はインターフェースで、通信コードＣa を介して後述する監視記録装置２に接続され、生体信号、電気刺激信号等の入出力を行う。」（段落【００１４】）
ウ．「２は操作室Ｒo に配置される監視記録装置で、以下のように構成される。３は信号処理部で、後述する制御部６の指示により生体信号入力部１a から入力される生体信号より雑音を除去するフィルタ処理、振幅を制限するリミッタ処理及び感度等の設定を行う。４は刺激制御部で、刺激出力部１ｂから生体に加える電気刺激信号の振幅、刺激パターン及び刺激時間等の設定を制御部６（後述）の指示により行う。」（段落【００１６】）
エ．「６は例えばマイクロコンピュータ等より成る制御部で、記憶素子としてＲＯＭ、ＲＡＭ等を有し、操作記録、編集、表示、記録及び装置全体の制御を行う。・・・」（段落【００１８】）
オ．「７はＲＡＭ等より構成される記憶部で、制御部６のＲＡＭより転送されるＥＰＳ実施中の操作経過、即ち、増幅器の感度、周波数特性の設定値、刺激条件、刺激開始・停止時間等の検査経過のデータと共に測定波形及び測定データが時系列に記憶されるようになっている。」（段落【００１９】）
カ．「信号入出力部１の生体信号入力部１a より入力される生体信号及び刺激出力部１b より出力される電気刺激信号は、監視記録装置２の制御部６の指示により信号処理部３及び刺激制御部４にて時分割され、夫々のインターフェース１c 及び５を介して入出力されるようになっている。」（段落【００２３】）
キ．「・・・設定された信号処理条件により電気刺激信号付与前の生体信号、即ち心電図信号、心腔内心電図信号及び血圧信号等の測定が行われる（ステップＳ11）。次にステップＳ8 の処理により出力される電気刺激信号を被検者Ｍに加え、刺激中の生体信号の測定が行われ（ステップＳ12）、更に刺激後の生体信号の測定が行われる（ステップＳ13）。上述のステップＳ11〜ステップ13における生体信号データは、モニタＡに転送され、波形や測定値のデータが表示されて異常等の監視が行われると共に制御部６内のＲＡＭに格納される。」（段落【００２６】）
ク．図１には、信号処理部３が、一方で生体信号入力部１aを介して刺激出力部１bに接続されており、他方で制御部６に接続されていることが図示されている。
　
　上記記載事項イから、刺激出力部１bから出力される電気刺激信号は、心臓に出力されるといえ、技術常識を考慮すると、電気刺激信号は、生体信号に影響を与えるといえる。
　また、上記記載事項エ、カ及びキから、生体信号は、制御部６に入力され、制御部６は、マイクロコンピュータ等であるから、制御部６に入力される生体信号はデジタルであり、信号処理部３は、制御部６にデジタル化された生体信号を入力するものであるといえる。
　
　これら記載事項及び図示内容を総合し、本願補正発明の記載ぶりに則って整理すると、引用例１には、次の発明（以下、「引用発明１」という）が記載されている。
　
　「心臓電気生理学検査装置であって、刺激出力部１bと生体信号入力部１aと制御部６とを具え、刺激出力部１bは心臓に電気刺激信号を出力し、生体信号入力部１aは生体信号を検出するために生体信号入力部１aに取り付けられた心電図用電極で検出し、生体信号は 刺激出力部１bから出力される電気刺激信号によって影響され、制御部６にデジタルである生体信号が入力される、心臓電気生理学検査装置において、
　制御部６にデジタル化された生体信号を入力する信号処理部３は、一方で生体信号入力部１aを介して刺激出力部１bに接続されており、他方で制御部６に接続されている、心臓電気生理学検査装置。」
　
　原査定の拒絶の理由に引用された、欧州特許第３５６５７３号明細書（以下、「引用例２」という）には、図面と共に次の事項が記載されている。
ケ．“Fig. 2 illustrates a more practical embodiment of the stimulating heart inspection apparatus of the present invention. In this embodiment, a thermal dot printer 30 as the recorder 10 is connected to the stimulation device 20 through connectors 38, 38a and connectors 39, 39a.”（第５欄第１６〜２１行）
『図２は、本発明の心臓刺激検査装置のより実用的な実施形態を示す。この実施形態では、記録器１０としてのサーマルドットプリンタ３０が、コネクタ３８、３８ａとコネクタ３９、３９ａを介して刺激装置２０に接続されている。』（『』内は当審による訳、以下同様）
コ．“The stimulation device 20 has a CPU (Central Processing Unit) circuit 21 having various circuits such as a ROM, a RAM, a clock generator, and so forth which constitute the recording start signal generating means 5, stimulation pattern signal generating means 6 and the recording stop signal generating means 8 which are mentioned in the description of the embodiment shown in Fig. 1. The CPU circuit 21 also cooperates with a stimulation wave output circuit 22 in constituting an electrical stimulation wave generating section 2. ”（第５欄第２２〜３２行）
『刺激装置２０は、ＲＯＭ、ＲＡＭ、クロック生成器や、図１で示される実施形態の説明で言及した、記録開始信号生成手段５、刺激パターン信号生成手段６と記録停止信号生成手段８を構成するものを有する、ＣＰＵ（中央処理ユニット）回路２１を、有する。ＣＰＵ回路２１は、電気刺激波生成部２を構成する刺激波出力回路２２と協調もする。』
サ．“The stimulation device 20 further has an amplifier 25 for amplifying the intracardiac electrocardiogram signal induced in the catheter, an A/D converter 26 for converting the output of the amplifier 25 into digital signals, and a communication control section 27. The communication control section 27 is a device which meets the serial transmission standard of RS-232-C capable of conducting transmission of the digital signals such as a recording start command signal, recording stop command signal and stimulation pattern command signal, through a signal exchange between itself and the communication control section 37 of the thermal dot printer 30.”（第５欄第４４〜５７行）
『刺激装置２０は、カテーテルで生じた心腔内心電図信号を増幅するための増幅器２５と、増幅器２５の出力をデジタル信号に変換するためのＡ／Ｄ変換器２６と、通信制御部２７とを、有する。通信制御部２７は、サーマルドットプリンタ３０の通信制御部３７との間の信号交換を通して、記録開始信号、記録停止信号、刺激パターン命令信号のようなデジタル信号の伝送をすることができるＲＳ−２３２−Ｃというシリアル伝送標準に対応できる装置である。』
シ．“The CPU circuit 21 is adapted for supplying the stimulation wave output circuit 22 with the stimulation wave signal of the pattern which has been set through the stimulation pattern setting section 23, thereby enabling the stimulation wave output circuit 22 to deliver to the catheter the stimulation wave which has been formed as a pulsetrain and which has been amplified. Then, a recording start command signal of a predetermined format is delivered through the communication control section 27 at a predetermined moment which is, for example, 3 seconds in advance of the generation of the final stimulation wave. Immediately after the delivery of the recording start signal, the CPU 21 delivers a stimulation pattern command signal of a predetermined format having factors such as the type of the stimulation pattern, stimulation interval, stimulation time and so forth. At the moment of generation of the final stimulation wave, the CPU circuit 21 delivers a trigger signal to the final stimulation signal generating circuit 24 thereby enabling the latter to produce the final stimulation signal 
a
『ＣＰＵ回路２１は、刺激波出力回路２２に、刺激パターンセット部２３を介してセットされたパターンの刺激波信号を供給することに適合しており、それによって、刺激波出力回路２２が、パルス列として形成され、増幅された刺激波を、カテーテルに送達することを可能にする。それから、最終的な刺激波の生成の、例えば、３秒前という予め決められた瞬間に、予め決められたフォーマットの記録開始命令信号が通信制御部２７を介して送達される。その記録開始信号の送達後すぐに、ＣＰＵ２１は、刺激パターン、刺激間隔、刺激時刻などの形式のような要素を持つ、予め決められたフォーマットの刺激パターン命令信号を送達する。最終的な刺激波が生成される瞬間に、ＣＰＵ回路２１は、トリガー信号を最終的な刺激信号生成回路２４に送達し、それによって、後者が、最終的な刺激信号ａを生成することを可能にする。』
ス．“The thermal dot printer 30 also has a CPU circuit 31 which is adapted to receive signals such as a power on-off signal and a recording speed signal through a switch control section 34 and to receive also various command signals mentioned before through the communication control section 37. Thus, the CPU circuit 31 constitutes the recording signal generating means 11 and the recording control means 12 which were explained before in connection with Fig. 1. The printer 30 also has a paper feed driving section 31 which starts and stops the feed of the recording paper 36 in accordance with the signal from the CPU circuit 31, and a recording driving section 35 which drives the thermal head upon receipt of the dot recording signal from the CPU circuit 31.”（第６欄第３７〜５２行）
『サーマルドットプリンタ３０も、スイッチ制御部３４を介して電源オンオフ信号や記録速度信号のような信号を受信し、通信制御部３７を介して前述した様々な命令信号を受信することに適合したＣＰＵ回路３１を有する。したがって、ＣＰＵ回路３１は、図１に関連して前に説明された、記録信号生成手段１１と記録制御手段１２を構成するものである。そのプリンタ３０は、また、ＣＰＵ回路３１からの信号にしたがって記録用紙３６のフィードを開始し、停止する、用紙フィード駆動部３１と、ＣＰＵ回路３１からのドット記録信号を受け取り次第サーマルヘッドを駆動する、記録駆動部３５とを、有する。』
セ．“The CPU cicuit 31 is also operable for the purpose of converting the final stimulation signal 
a
b
『ＣＰＵ回路３１は、また、Ａ／Ｄ変換器３３を介して供給される最終刺激信号ａと心腔内心電図信号ｂを、個別の信号の波形に対応して、ドット記録信号に変換することを目的として使用可能である。』
ソ．“A desired stimulation pattern is selected through the stimulation pattern setting section 23 in the stimulation device 20. Then, the CPU circuit 21 forms a stimulation wave signal on the basis of the clocks and delivers this signal to the stimulation wave output circuit 22 to enable the circuit 22 to apply an electrical stimulation wave, through the catheter, for example to the atrium of a heart. Meanwhile, the power supply to the thermal dot printer 30 has been turned on by the operation of the switch control section 34, and the recording speed signal also has been set beforehand. Then, the recording start command signal is supplied to the CPU circuit 31 of the thermal dot printer 30 through the communication control section 27 at a moment which is 3 seconds ahead of the final stimulation wave.Upon reading this command signals the CPU circuit 31 operates to start the feed of the recording paper right away.・・・For instances the first autochthonous intracardiac electrocardiogram signal 
b
『所望の刺激波パターンは、刺激パターン設定部２３を介して刺激装置２０で選択される。それから、ＣＰＵ回路２１は、クロック信号に基づいて刺激波信号を形成し、この信号を刺激波出力回路２２に送って、その回路２２が、電気刺激波を、カテーテルを介して、例えば、心臓の心房に供給できるようにする。その間に、サーマルドットプリンタ３０への電力供給が、スイッチ制御部３４の操作によってオンにされ、記録速度信号も事前にセットされる。それから、最終的な刺激信号の３秒より前に、記録開始命令信号が、通信制御部２７を介して、サーマルドットプリンタ３０のＣＰＵ回路３１に供給される。・・・例えば、最初の自生の心腔内心電図信号ｂは、記録の開始から２秒経過後に、受信され、それから、受信信号ｂは、ＣＰＵ回路３１によってドット波信号に変換され、それによって、この信号の波形が記録用紙３６に印刷される。』
タ．FIG.2には、増幅器２５を通った信号は、コネクタ３９、３９ａを通り、Ａ／Ｄ変換器３３を通って、ＣＰＵ回路３１に送られることが図示されている。
　
　上記記載事項シから、記録開始信号を生成するのは、ＣＰＵ回路２１であるといえ、上記記載事項サ及びシから、記録開始信号が、最終的な刺激波の生成の、例えば、３秒前に、ＣＰＵ回路２１によってＣＰＵ回路３１に接続された通信制御部３７に送達されるといえる。
　また、上記記載事項ソから、例えば、記録の開始から２秒経過後に、ＣＰＵ回路３１が受信信号ｂを受信するといえ、上記記載事項タも考慮すると、受信信号ｂは、心腔内心電図信号ｂをＡ／Ｄ変換器３３でデジタル化したものといえるから、心腔内心電図信号ｂのデジタル化は、ＣＰＵ回路３１に接続された通信制御部３７を介して送達される記録開始信号の後で行われるといえる。
　
　これら記載事項を総合し、本願補正発明の記載ぶりに則って整理すると、引用例２には、次の発明（以下、「引用発明２」という）が記載されている。
　
　「記録開始信号が、最終的な刺激波の生成の、例えば、３秒前に、ＣＰＵ回路２１によってＣＰＵ回路３１に接続された通信制御部３７に送達され、心腔内心電図信号ｂのデジタル化は、ＣＰＵ回路３１に接続された通信制御部３７を介して送達される記録開始信号の後で行われ、ＣＰＵ回路３１が、例えば、最終的な刺激波の生成の５秒後に、ドット記録信号を記録駆動部３５に送る、心臓刺激検査装置。」
　
３−２．対比
　本願補正発明と引用発明１とを対比すると、その構造または機能からみて、引用発明１の「心臓電気生理学検査装置」は、本願補正発明の「心臓の被刺激活動電流を検出するための装置」に相当し、以下同様に、「刺激出力部１b」は「刺激ユニット」に、「生体信号入力部１a」は「測定装置」に、「制御部６」は「処理ユニット」に、「具え」は「有し」に、「電気刺激信号」は「刺激信号」に、「出力」は「送出」に、「取り付けられた」は「接続された」に、「心電図用電極」は「身体装着電極」に、「で検出し」は「を用いて検出し」に、「刺激出力部１bから出力される電気刺激信号によって影響され」は「刺激ユニットにより刺激される活動電流によって影響をうけ」に、「デジタルである生体信号が入力される」は「測定値信号がデジタル形式で供給される」に、「デジタル化された生体信号を入力する」は「デジタル化された測定値信号を供給するための」に、「信号処理部３」は「制御電子装置」に、それぞれ相当する。
　引用発明１の「生体信号を検出するために」と本願補正発明の「アナログ測定値信号として表面電位を検出するために」とは、「測定値信号として表面電位を検出するために」という点で共通し、引用発明１の「生体信号」と本願補正発明の「アナログ測定値信号」とは、「測定値信号」という点で共通している。
　
　そこで、本願補正発明の用語を用いて表現すると、両者は次の点で一致する。
（一致点）
　「心臓の被刺激活動電流を検出するための装置であって、刺激ユニットと測定装置と処理ユニットとを有し、前記刺激ユニットは心臓に刺激信号を送出し、前記測定装置は測定値信号として表面電位を検出するために前記測定装置に接続された身体装着電極を用いて検出し、前記測定値信号は刺激ユニットにより刺激される活動電流によって影響をうけ、前記処理ユニットに測定値信号がデジタル形式で供給される、心臓の被刺激活動電流を検出するための装置において、
　処理ユニットにデジタル化された測定値信号を供給するための制御電子装置は、一方で測定装置を介して刺激ユニットに接続されており、他方で処理ユニットに接続されている、心臓の被刺激活動電流を検出するための装置。」
　
　そして、両者は次の相違点１、２で相違する。
（相違点１）
　検出される測定値信号に関して、本願補正発明は、アナログであるのに対し、引用発明１は、アナログであるか不明である点。
　
（相違点２）
　本願補正発明は、スタート信号が、刺激信号に時間的に対応して、外部トリガ発生器によって制御電子装置の入力側に送出され、到来するアナログ測定値信号のデジタル化は、連続的に行われるのではなく、制御電子装置の入力側を介して供給されるスタート信号の後で行われ、制御電子装置が、刺激信号に時間的に対応して処理ユニットにデジタル化された測定値信号を供給するのに対し、引用発明１は、そのような構成があるか不明である点。
　
３−３．相違点の判断
　上記相違点について検討する。
（相違点１について）
　心臓から測定値信号を検出する手段において、測定値信号をアナログとして検出するものは、例えば、原査定の拒絶の理由に引用した引用例２に示されるように、本願の優先日前の周知技術にすぎないから、引用発明において、該周知技術を適用して、相違点１に係る本願補正発明の発明特定事項のようにすることは当業者が容易に想到し得たことである。
　
（相違点２について）
　本願補正発明と引用発明２とを対比すると、その構造または機能からみて、引用発明２の「記録開始信号」は、本願補正発明の「スタート信号」に相当し、以下同様に、「最終的な刺激波」は「刺激信号」に、「最終的な刺激波の生成の、例えば、３秒前に」は「刺激信号に時間的に対応して」に、「ＣＰＵ回路２１」は「外部トリガ発生器」に、「ＣＰＵ回路３１」は「制御電子装置」に、「ＣＰＵ回路３１に接続された通信制御部３７」は「制御電子装置の入力側」に、「送達され」は「送出され」に、「心腔内心電図信号ｂ」は「到来するアナログ測定値信号」に、「送達される」は「供給される」に、「心腔内心電図信号ｂのデジタル化は、ＣＰＵ回路３１に接続された通信制御部３７を介して送達される記録開始信号の後で行われ」は「到来するアナログ測定値信号のデジタル化は、連続的に行われるのではなく、制御電子装置の入力側を介して供給されるスタート信号の後で行われ」に、「例えば、最終的な刺激波の生成の５秒後に」は「刺激信号に時間的に対応して」に、「記録駆動部３５」は「処理ユニット」に、「ドット記録信号」は「デジタル化された測定値信号」に、「送る」は「供給する」に、「心臓刺激検査装置」は「心臓の被刺激活動電流を検出するための装置」に、それぞれ相当する。
　
　そうすると、引用発明２は、本願補正発明と一部一致する以下のような構成を有する心臓の被刺激活動電流を検出するための装置といえる。
　「スタート信号が、刺激信号に時間的に対応して、外部トリガ発生器によって制御電子装置の入力側に送出され、到来するアナログ測定値信号のデジタル化は、連続的に行われるのではなく、制御電子装置の入力側を介して供給されるスタート信号の後で行われ、制御電子装置が、刺激信号に時間的に対応して処理ユニットにデジタル化された測定値信号を供給する、心臓の被刺激活動電流を検出するための装置。」
　
　引用発明１、２は、心臓の検査という同一の技術分野に係るものであり、心臓に刺激信号を与えて心臓の反応を検出するという機能も共通することから、引用発明１において、引用発明２を組み合わせて、相違点２に係る本願補正発明の発明特定事項のようにすることは当業者が容易に想到し得たことである。
　
　そして、本願補正発明による効果も、引用発明１、２及び周知技術から当業者が予測し得た程度のものであって、格別のものとはいえない。
　
　したがって、本願補正発明は、引用発明１、２及び周知技術に基いて、当業者が容易に発明をすることができたものであるので、特許法第２９条第２項の規定により、特許出願の際独立して特許を受けることができない。
　
３−４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、特許法第１５９条第１項において読み替えて準用する同法第５３条第１項の規定により却下すべきものである。
　
第３．本願発明
　本件補正は、上記のとおり却下されたので、本願の請求項１に係る発明（以下、「本願発明」という）は、平成１８年１月２６日付けの手続補正により補正された明細書の、特許請求の範囲の請求項１に記載された事項により特定される、以下のとおりのものである。
　「心臓の被刺激活動電流を検出するための装置であって、刺激ユニット（８）と測定装置（４、６）と処理ユニット（２４）とを有し、前記刺激ユニット（８）は心臓に刺激信号を送出し、前記測定装置（４、６）は、測定値として表面電位を検出するために前記測定装置（４、６）に接続された身体装着電極（４）を用いて検出し、前記表面電位は刺激ユニット（８）により刺激される活動電流によって影響をうけ、前記処理ユニット（２４）に前記測定値が供給される、心臓の被刺激活動電流を検出するための装置において、
　刺激信号に依存して処理ユニット（２４）に測定値を供給するための手段が設けられており、該手段は刺激ユニット（８）及び処理ユニット（２４）に接続されており、
　前記手段は刺激信号に依存して測定値の供給を開始するように構成されていることを特徴とする、心臓の被刺激活動電流を検出するための装置。」
　
第４．引用例の記載事項
　原査定の拒絶の理由に引用された引用例、及び、その記載事項は、前記第２．３−１に記載したとおりである。
　
第５．対比・判断
　本願発明は、本願補正発明から、「測定値」の限定事項である「アナログ」及び「信号」又は「信号」との構成を省き、「アナログ測定値信号」を「表面電位」に拡張し、「処理ユニット（２４）に測定値信号がデジタル形式で供給される」の限定事項である「デジタル形式で」との構成を省き、「スタート信号が、刺激信号に時間的に対応して、外部トリガ発生器（１２）によって制御電子装置（１６）の入力側（３０）に送出され、到来するアナログ測定値信号のデジタル化は、連続的に行われるのではなく、制御電子装置（１６）の入力側（３０）を介して供給されるスタート信号の後で行われ、刺激信号に時間的に対応して処理ユニット（２４）にデジタル化された測定値信号を供給するための制御電子装置（１６」を、「刺激信号に依存して処理ユニット（２４）に測定値を供給するための手段が設けられており」及び「前記手段は刺激信号に依存して測定値の供給を開始するように構成されている」に拡張し、「制御電子装置（１６）は、一方で測定装置（４、６）を介して刺激ユニット（８）に接続されており」を、「該手段は刺激ユニット（８）及び処理ユニット（２４）に接続されており」に拡張したものである。
　そうすると、本願発明の発明特定事項をすべて含み、さらに、他の発明特定事項を付加したものに相当する本願補正発明が、前記第２．３−３に記載したとおり、引用発明１、２及び周知技術に基いて、当業者が容易に発明をすることができたものであるから、本願発明も、同様に、引用発明１、２及び周知技術に基いて、当業者が容易に発明をすることができたものである。
　
第６．むすび
　以上のとおり、本願発明は、引用発明１、２及び周知技術に基いて、当業者が容易に発明をすることができたものであるから、特許法第２９条第２項の規定により、特許を受けることができない。
　よって、結論のとおり審決する。